(57)【要約】      （修正有）【課題】スピーカシステムを備えるカラオケシステムに関し、各スピーカユニット間におけるクロスオーバー帯域の周波数特性を随時変更可能として、歌唱者に満足感を演出する。【解決手段】中高音域の再生出力を担当する第１スピーカユニット１４及び低音域の再生出力を担当する第２スピーカユニット１５が配置され、当該第１スピーカユニット１４を駆動部１７により前後に移動自在とさせ、演奏の際に、設定手段４７が演奏楽曲の属性情報（ジャンル）若しくは演奏条件（キー／テンポ）、歌唱者の属性情報（性別）又は顧客ＩＤに基づき、位置設定テーブル５３、移動距離テーブル５４を参照して移動距離を設定値４７Ａとし、当該設定値４７Ａに基づき駆動制御手段４８が駆動量を演算し、駆動部１７により第１スピーカユニット１４を前後に移動させる構成とする。【選択図】図３
2011013249.tif 000002
【特許請求の範囲】
【請求項１】
同一周波数成分を含んだ異なる周波数帯域の再生出力をそれぞれ分担した複数のスピーカユニットと、
前記複数のスピーカユニットのうち、所定のスピーカユニットを前後に移動させる駆動部と、
前記各スピーカユニットのそれぞれの音源体の相対位置を変化させる移動距離から駆動量を演算して前記駆動部に指示する駆動制御手段と、
演奏楽曲毎に前記移動距離を設定することができる設定手段と、
を有するスピーカシステムを備えるカラオケシステム。
【請求項２】
請求項１記載のカラオケシステムであって、前記設定手段は、演奏楽曲の属性情報若しくは演奏条件、顧客の属性情報の何れかの設定条件と、前記移動距離とが関連付けられたテーブルを備え、この設定条件に基づき、当該テーブルを参照して前記移動距離を設定可能とすることを特徴とするカラオケシステム。
【請求項３】
請求項１記載のカラオケシステムであって、さらに、顧客ＩＤを取得するための顧客ＩＤ取得手段を備え、前記設定手段は、演奏楽曲の属性情報若しくは演奏条件、顧客の属性情報又は顧客ＩＤの何れかの設定条件と、前記移動距離とが関連付けられたテーブルを備え、当該何れかの設定条件を取得し、この取得した設定条件に基づき、当該テーブルを参照して前記移動距離を設定することを特徴とするカラオケシステム。
【発明の詳細な説明】
【技術分野】
【０００１】
本発明は、同一周波数成分を含んだ異なる周波数帯域の再生出力をそれぞれ分担する複数のスピーカユニットで構成されたスピーカシステムを備えるカラオケシステムに関する。
【背景技術】
【０００２】
近年、オーディオシステムやカラオケ装置は音質向上のために複数のスピーカユニットで一のスピーカを構成し、各スピーカユニット間におけるクロスオーバー周波数の設定や配置位置の設定により低周波数帯から中高音周波数帯までを再生出力させることが一般的となっている。
【０００３】
従来、オーディオシステムにおけるスピーカは、複数のスピーカユニットで構成されているものが多く、例えば下記特許文献１に示されるようなスピーカシステムが提案されている。特許文献１に開示されているスピーカシステムは、ウーハとツイータの各スピーカユニットで構成した場合に、ウーハをツイータの前方に配置するというものである。
【０００４】
一般に使用されているダイナミックス型のスピーカユニットは、周知のように、アンプから供給される音響電流をボイスコイルを経由して振動板で機械振動に変換し、さらに空気振動に再変換して空気の粗密波を作り出すもので、複数のスピーカユニットでシステムを構成する場合、音質向上のために低音域から中高音域までをできるだけフラットな周波数特性が得られるようにすることを課題として設計され、また、音像位置に違和感を生じさせないためにウーハとツイータの奥行きの配置、すなわち各スピーカユニット間の振動板の位置を調整して配置させる設計がなされている。
【先行技術文献】
【特許文献】
【０００５】
【特許文献１】実開昭５８−１０７６８３号公報
【発明の概要】
【発明が解決しようとする課題】
【０００６】
ところで、複数のスピーカユニットで構成されているスピーカシステムでは、上述のように周波数特性をできるだけフラットとする分、クロスオーバー周波数の前後における各スピーカユニット間で重なる部分のクロスオーバー帯域が広くなる傾向にある。このクロスオーバー帯域の部分では、干渉を生じ、この干渉した状態の周波数特性となる。
【０００７】
例えば、２ウエイスピーカシステムの場合にウーハとツイータ間で上記クロスオーバー帯域に音声の周波数成分が含まれ、カラオケ装置では、再生出力される歌唱音声は干渉された状態で聞こえるが、歌唱者は自身が歌唱して直接に認識する音声とスピーカシステムより聞こえてくる音声とのずれで心地よく感じたり、違和感を感じたりする。これは、演奏楽曲のジャンル、キー／テンポや歌唱者の声質によっても異なってくるものである。
【０００８】
しかしながら、上記クロスオーバー帯域での周波数特性は、各スピーカユニットの配置位置が固定されている状態では一定であり、歌唱者による歌唱はスピーカシステム固有の上記クロスオーバー帯域の周波数特性で定まり、違和感を感じても為すすべがないという問題がある。
【０００９】
そこで、本発明は上記課題に鑑みなされたもので、各スピーカユニット間で再生出力するクロスオーバー帯域の周波数特性を随時変更可能として、歌唱における歌唱者に応じた満足感を演出するスピーカシステムを備えるカラオケシステムを提供することを目的とする。
【課題を解決するための手段】
【００１０】
上記課題を解決するために、請求項１の発明では、同一周波数成分を含んだ異なる周波数帯域の再生出力をそれぞれ分担した複数のスピーカユニットと、前記複数のスピーカユニットのうち、所定のスピーカユニットを前後に移動させる駆動部と、前記各スピーカユニットのそれぞれの音源体の相対位置を変化させる移動距離から駆動量を演算して前記駆動部に指示する駆動制御手段と、演奏楽曲毎に前記移動距離を設定することができる設定手段と、有するスピーカシステムを備える構成とする。
【００１１】
請求項２の発明では、前記設定手段は、演奏楽曲の属性情報若しくは演奏条件、顧客の属性情報の何れかの設定条件と、前記移動距離とが関連付けられたテーブルを備え、この設定条件に基づき、当該テーブルを参照して前記移動距離を設定可能とする構成である。
【００１２】
請求項３の発明では、さらに、顧客ＩＤを取得するための顧客ＩＤ取得手段を備え、前記設定手段は、演奏楽曲の属性情報若しくは演奏条件、顧客の属性情報又は顧客ＩＤの何れかの設定条件と、前記移動距離とが関連付けられたテーブルを備え、当該何れかの設定条件を取得し、この取得した設定条件に基づき、当該テーブルを参照して前記移動距離を設定する構成である。
【発明の効果】
【００１３】
請求項１の発明によれば、複数のスピーカユニットが同一周波数成分を含んだ異なる周波数帯域の再生出力をそれぞれ分担し、所定のスピーカユニットを前後に移動させるスピーカシステムを備え、演奏楽曲毎に移動距離を設定して、各スピーカユニットのそれぞれの音源体の相対位置を変化させる構成とすることにより、各スピーカユニット間で再生出力するクロスオーバー帯域の周波数特性を随時変更させることから干渉の程度を変更することができ、歌唱者自身の歌唱による直接に認識する音声とスピーカシステムより聞こえてくる音声との関係による歌唱の満足感を演出することができるものである。
【００１４】
請求項２の発明によれば、請求項１のスピーカシステムをカラオケシステムに使用して、所望のスピーカユニットに対して移動距離を設定するに際して、演奏楽曲の属性情報若しくは演奏条件、顧客の属性情報の何れかの設定条件に基づき、上記移動距離とが関連付けられたテーブルを参照して当該移動距離を設定可能とさせる構成とすることにより、自動若しくは歌唱者の発意で各スピーカユニット間で再生出力するクロスオーバー帯域の周波数特性を随時変更させることができるものである。
【００１５】
請求項３の発明によれば、請求項１のスピーカシステムをカラオケシステムに使用して、所望のスピーカユニットに対して移動距離を設定するに際して、顧客ＩＤを取得し、演奏楽曲の属性情報若しくは演奏条件、顧客の属性情報又は顧客ＩＤの何れかの設定条件に基づき、上記移動距離とが関連付けられたテーブルを参照して当該移動距離を設定可能とさせる構成とすることにより、完全な自動で各スピーカユニット間で再生出力するクロスオーバー帯域の周波数特性を随時変更させることができるものである。
【図面の簡単な説明】
【００１６】
【図１】本発明に係るカラオケシステムの備えるスピーカシステムの構成図である。
【図２】図１のスピーカシステムにおける原理説明図である。
【図３】本発明に係るカラオケシステムのブロック構成図である。
【図４】図３のカラオケシステムにおける位置設定テーブルの説明図である。
【図５】図３のカラオケシステムにおける移動距離テーブルの説明図である。
【図６】図３における楽曲選曲の際のスピーカ移動の設定の説明図である。
【発明を実施するための形態】
【００１７】
以下、本発明の実施形態を図により説明する。本実施形態では、スピーカシステムを２つのスピーカユニットで構成してウーハとツイータの２ウエイスピーカシステムの場合として説明するが、３ウエイや４ウエイのマルチウエイスピーカシステムにおいても適用することができるものである。
【００１８】
そして、各マルチウエイのスピーカシステムにおける各スピーカユニット間のクロスオーバー周波数は、通常市販されているスピーカシステムと同様の設定範囲であり、特異なクロスオーバー周波数のものではない。したがって、ここでは例えば２ウエイの場合として、ウーハがいわゆる低音域の周波数帯（例えば、２０Ｈｚ〜３．５ＫＨｚ）を担当し、ツイータが中高音域の周波数帯（例えば、２ＫＨｚ〜２０ＫＨｚ）を担当するものとしている。したがって、低音域の周波数帯と中高音域の周波数帯との異なる周波数帯域の担当があるものの、２ＫＨｚ〜３．５ＫＨｚが同一周波数成分を含んだ周波数帯域となる。
なお、本発明において、「同一周波数成分を含んだ異なる周波数帯域」とは、異なる周波数の帯域同士であっても、このように部分的に周波数帯域が重複するか、あるいは、周波数帯域を包含するかの関係にある複数の周波数帯域でも構わない。
【００１９】
また、本実施形態では、スピーカユニットのうち、ツイータのスピーカユニット（第１スピーカユニット）を移動自在として説明するが、ツイータにおける音源体の位置とウーハにおける音源体の位置との前後方向の差は相対的なもので何れを移動自在としてもよく、ウーハのスピーカユニット（第２スピーカユニット）を移動自在としても同様である。なお、本発明はこれに限定されず、何れのスピーカユニットをも移動自在として、各音源体の相対位置を変えるように構成しても構わない。
【００２０】
図１に、本発明に係るカラオケシステムの備えるスピーカシステムの構成図を示すと共に、図２に図１のスピーカシステムにおける原理説明図示す。図１において、スピーカシステム１１は、第１エンクロージャ１２内に収められる第１スピーカユニット１４と、第２エンクロージャ１３内に収められる第２スピーカユニット１５を備える。第１エンクロージャ１２は、例えば密閉型であり、第２エンクロージャ１３はバスレフ型でポートが形成される。
【００２１】
第１スピーカユニット１４及び第２スピーカユニット１５は、上記のように同一周波数成分を含んだ異なる周波数帯域の再生出力をそれぞれ分担する。本実施例では、上記第１スピーカユニット１４がツイータとして中高音域の周波数帯を担当し、第２スピーカユニット１５がウーハとして低音域の周波数帯を担当し、それぞれの中高音域と低音域の領域間において、周波数成分が部分的に重複するクロスオーバー帯域が存在する。なお、第２スピーカユニット１５をフルレンジのものとし、第１スピーカユニットの周波数帯域を包含してもよい。
【００２２】
上記第１スピーカユニット１４と第２スピーカユニット１５は、図のように、再生出力面１４Ｂ，１５Ｂを同一方向として配置される。上記第１スピーカユニット１４を収納した第１エンクロージャ１２には、可動係合部１６Ａが設けられ、上記同一方向の基軸上に可動軌道部１６Ｂ上で係合し、駆動部１７の駆動により当該可動軌道部１６Ｂ上で前後に移動自在とされる。
【００２３】
例えば、可動軌道部１６Ｂをボールネジとし、駆動部１７がこれを回転させるモータで構成した場合、駆動部１７の駆動量（回転量）で第１スピーカユニット１４（第１エンクロージャ１２）がこれに応じた移動距離で移動する。なお、当該第１スピーカユニット１４（第１エンクロージャ１２）を移動させる可動係合部１６Ａ、可動軌道部１６Ｂ及び駆動部１７の手段内容を問うものではなく、何れの手段を適用させてもよい。
【００２４】
上記第１スピーカユニット１４（第１エンクロージャ１２）を移動させることは、第１スピーカユニット１４の音源体（厳密には振動板）１４Ａと、第２スピーカユニット１５の音源体（厳密には振動板）１５Ａの位置とを相対的に変化せるもので、これによって、第１スピーカユニット１４と第２スピーカユニット１５とのクロスオーバー帯域において、両ユニット間の位相差の変化により、干渉の程度を変えることができるものである。
【００２５】
すなわち、例えば、図２（Ａ）に示す、同じ向きで配置された第１スピーカユニット１４及び第２スピーカユニット１５において、第１スピーカユニット１４の出力軸線上に設けられた聴取点Ａに対して、第１スピーカユニット１４の音源体（厳密には振動板）１４Ａを第２スピーカユニット１５の音源体（厳密には振動板）１５Ａと略同じに位置させたときの聴取点Ａまでの距離がＬ１であり、第１スピーカユニット１４をその出力面方向の基軸上に沿って（聴取点Ａ側）移動させたときの聴取点Ａまでの距離Ｌ２となった場合に各音源体１４Ａ，１５Ａ間で相対位置差Ｒ（Ｌ１−Ｌ２）となる。
【００２６】
なお、本実施例では、駆動部１７は第１スピーカユニット１４を出力面方向の基軸上沿って前後に移動させているが、本発明はこれに限定されず、必ずしも基軸上、すなわち出力面に対して直角方向で前後に移動させる場合に限らず、斜め角度の軸線上で前後に移動させるように構成しても構わない。
【００２７】
また、本実施例の場合、図中では、聴取点Ａは第２スピーカユニット１５の出力面の基軸上に存在していないが、第１スピーカユニット１４及び第２スピーカユニット１５との間の距離（Ｌ０）が上記距離Ｌ１とに比べて十分に小さい値（Ｌ１＞＞Ｌ０）となっており、出力軸線上にあるものとみなすことができる。したがって、第１スピーカユニット１４の音源体１４Ａから聴取点Ａまでの移動前距離Ｌ１と移動後距離Ｌ２の差（Ｌ１−Ｌ２）を、そのまま第１スピーカユニット１４の音源体１４Ａから聴取点Ａまでの距離と、第２スピーカユニット１５の音源体１５Ａから聴取点Ａまでの距離との差（Ｌ１−Ｌ２）とすることができるものであり、この差が相対位置差Ｒとなる。
【００２８】
そして、図２（Ｂ）に示すように、聴取点Ａでは、第１スピーカユニット１４の音源体１４Ａと第２スピーカユニット１５の音源体１５Ａから出力される上記クロスオーバー帯域における同じ周波数成分の音が、第１スピーカユニット１４では上記相対位置差Ｒに応じた時間（Ｔ０）分早く到達し、結果、位相もずれる。第２スピーカユニット１５の位相は固定となっているため、このずれた分で干渉の程度が変化することとなり、このときの周波数特性と、各音源体１４Ａ，１５Ａの位置が同位置（Ｌ２同士）のときの干渉状態における周波数特性とは異なったものとなる。なお、位相のずれは、時間（Ｔ０）によっては同一位相になってしまう場合もあるため、相対位置差Ｒが所定値以下になるように構成するのが良い。例えば、第１スピーカユニット１４の移動距離を、第２スピーカユニット１５との各音源体１４Ａ，１５Ａを同位置としたときを基準として、±１５ｍｍの範囲において所定段階で変化させることで、各段階毎に周波数特性を変化させることができるものである。
【００２９】
そこで、図３に本発明に係るカラオケシステムのブロック構成図を示すと共に、図４に図３のカラオケシステムにおける位置設定テーブルの説明図を示し、図５に図３のカラオケシステムにおける移動距離テーブルの説明図を示す。図３に示すカラオケシステム３１の構成については、本発明の要旨と直接関連しない要素部分であっても、従前のカラオケシステムにおいても大部分が適用可能であることを示すために、システム全体を説明する。
【００３０】
図３において、カラオケシステム３１は、主要装置としてのカラオケ本体３２に有線又は無線で外部接続されるものとして、表示部３３、ミキシングアンプ３４、マイク３５、スピーカ部３６、操作部３７及び遠隔入出力端末３８を備えると共に、上記駆動部１７を備える。当該遠隔入出力端末３８は顧客ＩＤ取得手段３９及び楽曲選曲手段４０を備える。
【００３１】
上記表示部３３は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。
【００３２】
上記スピーカ部３６は、上記スピーカシステム１１の第１スピーカユニット１４と第２スピーカユニット１５と同様に第１スピーカユニット１４を移動させる場合として構成される。当該スピーカ部３６は、モノラル再生、ステレオ再生の何れでもよく、ステレオ再生の場合には、左右でそれぞれ第１及び第２スピーカユニット１４，１５を備えて左右両方の第１スピーカユニット１４を同時に移動させる。
【００３３】
上記ミキシングアンプ３４は、カラオケ本体３２より送られてくる演奏データとマイク３５からの音声信号をミキシングし、当該ミキシングした音響電流を増幅してスピーカ部３６の第１スピーカユニット１４及び第２スピーカユニット１５より再生出力する。当該第１及び第２スピーカユニット１４，１５は音響電流をそれぞれ担当する周波数帯に応じてアッテネータで設定されたクロスオーバー周波数のバンドパスフィルタでフィルタリングして再生出力する。
【００３４】
上記操作部３７は、後述の設定手段４７に対して第１スピーカユニット１４を移動させる移動距離を例えばボリウムによりマニュアル操作で設定するためのものである。例えば、歌唱者が所定楽曲の歌唱時にマニュアル操作して自己の心地よく歌唱しやすい第１スピーカユニット１４の位置を設定することができるものである。この設定したスピーカ位置を、第１スピーカユニット１４のデフォルトに対する移動距離として、顧客ＩＤに関連付けて登録しておくことができる（図４で説明する）。その際に当該スピーカ位置を表示部３３に表示させることとしてもよい。
【００３５】
上記遠隔入出力端末３８は、図示しない端末送受信部により、カラオケ本体１２に対して有線方式ないし無線方式（ＩＲ方式やブルートゥース（登録商標）機構のピコネット接続方式など）を利用してデータ授受を行うためのもので、顧客ＩＤ取得手段３９及び楽曲選曲手段４０を適宜備え、図示しない端末表示部をも備える。端末表示部は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００３６】
上記顧客ＩＤ取得手段３９は、例えば利用者の所持する顧客カードに顧客ＩＤが記憶され、当該顧客カードより顧客ＩＤを読み取って取得し、後述のＲＡＭ（４３）に記憶するプログラム乃至電子回路である。上記遠隔入出力端末３８の楽曲選曲手段４０は、上記ユーザインタフェース機能等により利用者に楽曲を検索させ、選曲させるプログラムである。そして、利用者の選曲した楽曲の楽曲ＩＤが後述のＲＡＭ（４３）の予約待ち行列（５０）に記憶される。その際、一例として、演奏時に第１スピーカユニット１４を移動させるか否かの選択等を行わせる（図６で説明する）。
【００３７】
上記カラオケ本体３２は、バス４０、中央制御部４１、ＲＯＭ４２、ＲＡＭ４３、映像再生制御部４４、音楽演奏制御部４５、記憶部４６、設定手段４７、駆動制御手段４８及び送受信部４９を備える。上記ＲＡＭ４３には予約待ち行列５０等の記憶領域が形成され、上記記憶部４６には楽曲ＤＢ（楽曲データベース）５１、映像ＤＢ５２、位置設定テーブル５３及び移動距離テーブル５４が記憶される。
【００３８】
上記中央制御部４１は、このシステムを統括的に処理制御する物理的なＣＰＵであり、ＲＯＭ４２に記憶されているプログラムに基づくアルゴリズム処理を行う。上記ＲＡＭ４３は、上記予約待ち行列５０や図示しない取得した顧客ＩＤなどの記憶領域が形成されると共に、種々のプログラムを展開、実行させるための作業領域としての役割をなすもので、例えば半導体メモリで構成され、仮想的にハードディスク上に構築される場合をも含む概念である。
【００３９】
ここで、上記予約待ち行列５０は、遠隔入出力端末３８の楽曲選曲手段４０により選曲された楽曲（曲名、アーチスト名、楽曲ＩＤ）を順番に記憶しておき、順番に演奏させるものである。また、予約待ち行列５０には、選曲の際に適宜設定されたスピーカ移動の条件等が付帯される。
【００４０】
上記映像再生制御部４４は、演奏時に、映像ＤＢ５２より抽出された所定数のシーン映像データ及び楽曲コードで楽曲ＤＢ５１より抽出された歌詞テロップデータ（歌詞文字データ）を当該楽曲の音符データに同期させて表示部３３に出力する電子回路である。上記音楽演奏制御部４５は、楽曲コードで楽曲ＤＢ５１より抽出された音符データをデジタル再生し、アナログ変換してミキシングアンプ３４に出力する電子回路である。
【００４１】
上記記憶部４６に記憶されている楽曲ＤＢ５１は、楽曲毎に、音符データ及び歌詞データを格納するもので、具体的には、楽曲ＩＤ、曲名、ジャンル及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）及び歌詞データ（歌詞テロップデータ）が同期されて構成される楽曲データ（ファイル）について楽曲ＩＤをファイル名としてそれぞれ格納したデータベースであり、映像ＤＢ５２に格納された当該楽曲毎の背景映像を表示するための所定数のシーン映像を割り当てる割当データが関連付けられる。上記記憶部４６に記憶されている当該映像ＤＢ５２は、背景映像表示のための所定数のシーン映像データを所定数格納するデータベースである。
【００４２】
上記設定手段４７は、演奏楽曲毎に第１スピーカユニット１４を移動させる移動距離の設定値４７Ａを駆動制御手段４８に送出するもので、その際にＲＡＭ４３の予約待ち行列５０に付帯されているスピーカ移動の条件に基づき、後述の位置設定テーブル５３及び移動距離テーブル５４を参照して当該設定値４７Ａを特定するプログラムである。また、当該設定手段４７は、上記操作部３７による例えばボリウムからの操作量に応じた上記設定値４７Ａを特定する。
【００４３】
上記駆動制御手段４８は、設定手段４７から送られてくる設定値４７Ａに応じて、第１スピーカユニット１４と第２スピーカユニット１５のそれぞれの音源体１４Ａ，１５Ａの相対位置を変化させる移動距離から上記駆動部１７に対する駆動量を演算して当該駆動部１７を制御するプログラムないし電子回路である。
【００４４】
上記送受信部４９は、遠隔入出力端末３８との間で有線方式ないし無線方式（ＩＲ方式やブルートゥース（登録商標）機構のピコネット接続方式など）を利用してデータ授受を行うためのもので、そのための電子回路及びプログラムである。
【００４５】
上記記憶部４６に記憶される位置設定テーブル５３は、演奏楽曲の属性情報（ジャンル）若しくは演奏条件（キー／テンポ）、顧客の属性情報（性別）又は顧客ＩＤの何れかの設定条件と、第１スピーカユニット１４のスピーカ位置とが関連付けられたテーブルである。例えば図４（Ａ）に示すように、楽曲の属性情報のジャンル（例えば演歌、ポップス、ロックなど）を条件としてジャンル毎の第１スピーカ１４の位置Ｒを予め関連付けておいた位置設定テーブル５３Ａとする。
【００４６】
また、例えば図４（Ｂ）に示すように、歌唱者が男性か、女性かの性別条件と第１スピーカユニット１４の位置Ｒとを関連付けた位置設定テーブル５３Ｂとする。この場合、歌唱者が男性か、女性かの条件は、歌唱者が選曲時に設定するものとしてもよく、また、利用者毎に顧客ＩＤを付して住所、氏名、性別等を図示しない顧客ＤＢに登録させておき、選曲時に顧客ＩＤで選曲を行わせることで当該顧客ＩＤに関連付けられた利用者情報に基づくものとしてもよい。
【００４７】
さらにまた、例えば図４（Ｃ）に示すように、楽曲演奏のキーの設定値（デフォルト値）や変更値の条件と第１スピーカユニット１４の位置Ｒとを関連付けた位置設定テーブル５３Ｃとする。当該キーの設定、変更は、楽曲の選曲時に選曲者によって行われる（図６で説明する）。
【００４８】
また、例えば図４（Ｄ）に示すように、楽曲演奏のテンポの設定値（デフォルト値）や変更値の条件と第１スピーカユニット１４の位置Ｒとを関連付けた位置設定テーブル５３Ｄとする。当該テンポの設定、変更は、楽曲の選曲時に選曲者によって行われる（図６で説明する）。
【００４９】
また、例えば図４（Ｅ）示すように、顧客ＩＤの条件と第１スピーカユニット１４の位置Ｒとを関連付けた位置設定テーブル５３Ｅとする。この場合、図４（Ｂ）と同様に、利用者毎に顧客ＩＤを付して住所、氏名、性別等を登録させておき、利用者が顧客ＩＤに基づいて、上述のように、独自にスピーカ位置Ｒの移動距離として登録し、テーブル作成の際に、図示しないテーブル作成手段により当該移動距離をスピーカ位置Ｒに変換して予めテーブルとしておくものである。なお、本発明では、顧客ＩＤ毎にさらに楽曲ＩＤを対応付けて、楽曲ごとに位置Ｒを設定してもよく、また、直接に顧客ＩＤと移動距離とを関連付けたテーブルとしてもよいものである。
【００５０】
上記記憶部４６に記憶される移動距離テーブル５４は、図５に示すように、移動対象の第１スピーカユニット１４の位置Ｒと移動距離（ｍｍ）とを予め関連付けておいたものである。当該移動距離テーブル５４と上記位置設定テーブル５３とにより、演奏楽曲の属性情報若しくは演奏条件、顧客の属性情報又は顧客ＩＤの何れかの設定条件と、移動距離とが関連付けられたテーブルとなる。当該移動距離テーブル５４は、第１スピーカユニット１４の音源体１４Ａと第２スピーカユニット１５の音源体１５Ａとの位置が略同一のときを基準（ゼロ）として、「＋」を図２に示す聴取点Ａの方向に移動させることを意味させ、「−」を逆に第２スピーカユニット１５の音源体１５Ａより後方に位置させる場合を意味させている。
【００５１】
続いて、図６に、図３における楽曲選曲の際のスピーカ移動の設定の説明図を示す。この実施形態では、上記位置設定テーブル５３を、図４（Ａ）〜（Ｅ）に示す総ての位置設定テーブル５３Ａ〜５３Ｅを備えたものとして説明する。図６は、遠隔入出力端末３８における楽曲の選曲をさせる表示であり、キー設定やテンポ設定を可能としている。
【００５２】
そして、スピーカ移動をさせるか否かの設定を可能とすると共に、そのときの条件（演奏楽曲の属性情報（ジャンル）若しくは演奏条件（キー／テンポ）、顧客の属性情報（性別）又は顧客ＩＤ）を選択させるものである。この設定、選択は、選曲として転送されたときに、例えば予約待ち行列５０に付帯される。
【００５３】
そこで、演奏に際して、第１スピーカユニット１４を移動させる動作を説明する。まず、楽曲の演奏時に、設定手段４７が予約待ち行列５０に付帯されているスピーカ移動の条件から、位置設定テーブル５３（５３Ａ〜５３Ｅ）を参照してスピーカ位置Ｒを特定し、当該スピーカ位置Ｒに基づき、移動距離テーブル５４を参照して移動距離を特定して設定値４７Ａとし、当該設定値４７Ａを駆動制御手段４８に送出する。
【００５４】
例えば、条件を楽曲のジャンルとされており、当該ジャンルが上記演奏楽曲の属性情報より演歌と識別したときに、位置設定テーブル５３Ａを参照してスピーカ位置Ｒ（＋Ｒ２）を特定し、移動距離テーブル５４を参照してスピーカ位置Ｒ（＋Ｒ２）に対応する移動距離（＋６ｍｍ）を特定し、これを設定値４７Ａとするものである。そして、駆動制御手段４８が設定値４７Ａに応じた移動距離から駆動量を演算し、駆動制御信号として駆動部１７を駆動させ、第１スピーカユニット１４を前方＋６ｍｍの位置に移動させるものである。
【００５５】
このように、各スピーカユニット間で再生出力するクロスオーバー帯域の周波数特性を演奏楽曲の属性情報（ジャンル）若しくは演奏条件（キー／テンポ）、歌唱者の属性情報（性別）又は顧客ＩＤと移動対象の第１スピーカユニット１４の移動距離とが関連付けられた位置設定テーブル５３及び移動距離テーブル５４を用いることで自動的に各スピーカユニット間で再生出力する重なった部分のクロスオーバー帯域の周波数特性を随時変更させることから干渉の程度を変更することができ、歌唱者自身の歌唱による直接に認識する音声とスピーカシステムより聞こえてくる音声との関係による歌唱の満足感を演出することができるものである。
【００５６】
なお、上記実施形態では、位置設定テーブル５３を、図４（Ａ）〜（Ｅ）の総てを使用する場合を示したが、これらのうち何れか、若しくは何れかの組み合わせで使用してもよい。
【００５７】
また、上記実施形態では、図６に示すように選曲時に、スピーカ移動の設定、選択を行わせる場合を示したが、例えば、図４（Ａ）〜（Ｅ）の優先順位（例えば、顧客ＩＤ、ジャンル、性別、キー、テンポの順位）を予め定めておき、選曲者にスピーカ移動の有無の設定や条件選択をさせることなく、設定手段４７が演奏時に上記順位で条件を自動的に特定し、位置設定テーブル５３Ａ〜５３Ｅ及び移動距離テーブル５４を参照してスピーカ位置Ｒを特定し、当該スピーカ位置Ｒに基づき、移動距離テーブル５４を参照して移動距離を設定値４７Ａとして駆動制御手段４８に送出することとしてもよいものである。
【産業上の利用可能性】
【００５８】
本発明のカラオケシステムは、カラオケの基本的機能を備えるカラオケ機器製造の分野に利用可能である。
【符号の説明】
【００５９】
１１            スピーカシステム
１４            第１スピーカユニット
１５            第２スピーカユニット
１７            駆動部
３１            カラオケシステム
４７            設定手段
４８            駆動制御手段
５０            予約待ち行列
５３            位置設定テーブル
５４            移動距離テーブル
【図１】
2011013249.tif 000003
【図２】
2011013249.tif 000004
【図３】
2011013249.tif 000005
【図４】
2011013249.tif 000006
【図５】
2011013249.tif 000007
【図６】
2011013249.tif 000008